(57)【要約】【課題】ユーザが、鑑賞を所望しない映像をなるべく飛ばし、鑑賞を所望する位置から映像を確実に鑑賞することができる再生装置を提供する。  【解決手段】１画面での通常再生表示中にリモコンでスキップボタンが押されると、その時点で表示されている映像より所定時間先の映像から親画面で通常再生表示され、スキップボタンが押された時点で表示されている映像より前記所定時間の２倍の時間先の映像から子画面に通常再生表示され、２画面による通常再生表示中にリモコンでスキップボタンが押されると、その時点で親画面に表示されている映像より前記所定時間先の映像から親画面に通常再生表示され、スキップボタンが押された時点で親画面に表示されている映像より前記所定時間の２倍の時間先の映像から子画面に通常再生表示され、以降、スキップボタンが押されるたびに同様の動作が行われる。【選択図】図１
2007235666.tif 000002
【特許請求の範囲】
【請求項１】
記録媒体に記録された情報に基づき表示手段に１画面で映像を通常再生表示させる再生装置において、
読み出し手段と、第１の記憶手段と、第２の記憶手段と、第１の伸長手段と、第２の伸長手段と、表示用画像信号生成手段と、を備え、
１画面での通常再生表示中に操作手段において所定の操作がされると、前記読み出し手段は、前記所定の操作がされた時点で前記表示手段に表示されている映像の表示位置より所定時間先の表示位置に対応する第１のアドレスを起点とする所定量ずつの前記記録媒体に記録された圧縮情報の読み出しと、前記所定の操作がされた時点で前記表示手段に表示されている映像の表示位置より前記所定時間の２倍の時間先の表示位置に対応する第２のアドレスを起点とする所定量ずつの前記記録媒体に記録された圧縮情報の読み出しと、を交互に行い、前記第１のアドレスを起点として読み出された圧縮情報は前記第１の記憶手段に記憶されてから前記第１の伸長手段に転送され、前記第２のアドレスを起点として読み出された圧縮情報は前記第２の記憶手段に記憶されてから前記第２の伸長手段に転送され、前記第１の伸長手段は転送された圧縮情報を伸長し第１の映像信号を前記表示用画像信号生成手段に送出し、前記第２の伸長手段は転送された圧縮情報を伸長し第２の映像信号を前記表示用画像信号生成手段に送出し、前記表示用画像信号生成手段は前記第１の映像信号および前記第２の映像信号にピクチャー・イン・ピクチャー処理を行い表示用画像信号を出力し、前記表示手段において前記第１の映像信号に基づく映像が親画面で、前記第２の映像信号に基づく映像が子画面で通常再生表示され、
前記親画面および前記子画面による通常再生表示中に前記操作手段において前記所定の操作がされると、前記読み出し手段は、前記所定の操作がされた時点で前記親画面に表示されている映像の表示位置より前記所定時間先の表示位置に対応する第３のアドレスを起点とする所定量ずつの前記記録媒体に記録された圧縮情報の読み出しと、前記所定の操作がされた時点で前記親画面に表示されている映像の表示位置より前記所定時間の２倍の時間先の表示位置に対応する第４のアドレスを起点とする所定量ずつの前記記録媒体に記録された圧縮情報の読み出しと、を交互に行い、前記第３のアドレスを起点として読み出された圧縮情報は前記第１の記憶手段に記憶されてから前記第１の伸長手段に転送され、前記第４のアドレスを起点として読み出された圧縮情報は前記第２の記憶手段に記憶されてから前記第２の伸長手段に転送され、前記第１の伸長手段は転送された圧縮情報を伸長し第３の映像信号を前記表示用画像信号生成手段に送出し、前記第２の伸長手段は転送された圧縮情報を伸長し第４の映像信号を前記表示用画像信号生成手段に送出し、前記表示用画像信号生成手段は前記第３の映像信号および前記第４の映像信号にピクチャー・イン・ピクチャー処理を行い表示用画像信号を出力し、前記表示手段において前記第３の映像信号に基づく映像が前記親画面で、前記第４の映像信号に基づく映像が前記子画面で通常再生表示され、以降、前記操作手段において前記所定の操作がされるたびに同様の動作が行われる、
ことを特徴とする再生装置。
【請求項２】
記録媒体に記録された情報に基づき表示手段に１画面で映像を通常再生表示させる再生装置において、
１画面での通常再生表示中に操作手段において所定の操作がされると、該所定の操作がされた時点で前記表示手段に表示されている映像より所定時間先の映像から前記記録媒体に記録された情報に基づき前記表示手段において第１の画面で通常再生表示させ、前記所定の操作がされた時点で前記表示手段に表示されている映像より前記所定時間の略２倍の時間先の映像から前記記録媒体に記録された情報に基づき前記表示手段において第２の画面に通常再生表示させ、
前記第１の画面および前記第２の画面による通常再生表示中に前記操作手段において前記所定の操作がされると、該所定の操作がされた時点で前記第１の画面に表示されている映像より前記所定時間先の映像から前記記録媒体に記録された情報に基づき前記第１の画面に通常再生表示させ、前記所定の操作がされた時点で前記第１の画面に表示されている映像より前記所定時間の略２倍の時間先の映像から前記記録媒体に記録された情報に基づき前記第２の画面に通常再生表示させ、以降、前記操作手段において前記所定の操作がされるたびに同様の動作を行うような再生手段を備える、
ことを特徴とする再生装置。
【発明の詳細な説明】
【技術分野】
【０００１】
本発明は、再生装置に関するものである。
【背景技術】
【０００２】
ハードディスクレコーダやＤＶＤレコーダ等の録画装置においては記録媒体に放送番組を録画させることができる。録画された放送番組を再生させると、途中ＣＭが再生される。ここで、ユーザとしては、ＣＭを飛ばしてその先の番組本編の映像から鑑賞することを所望する。
【０００３】
そこで、例えば特許文献１には、ユーザが高速サーチ用の操作を行うと、画面が２分割され、一方の画面に通常の高速再生された映像が表示され、片方の画面に所定時間だけ遅れた映像が表示され、ユーザが通常の高速再生された映像を見てサーチポイントを発見し再生用の操作を行うと、自動的に画面分割が解除され、再生用の操作がされた時点の通常映像から所定時間だけ遅れた映像から再生されるようなものが開示されている。このような技術を用いれば、ユーザはＣＭを高速で飛ばし、放送番組本編の映像であるサーチポイントを発見し再生用の操作を行うことで番組本編の映像から鑑賞することができる。
【特許文献１】特開２００５−８６３５５号公報
【発明の開示】
【発明が解決しようとする課題】
【０００４】
しかし、上記特許文献１の技術では、ユーザが放送番組本編の映像であるサーチポイントを発見し再生用の操作を行うタイミングが適切でなければ、ＣＭが終了したタイミングより後のタイミングから、つまり番組本編の途中から映像が再生されてしまい、ユーザが番組本編の最初から確実に映像を鑑賞することは難しかった。
【０００５】
本発明は上記問題点を鑑み、ユーザが鑑賞を所望しない映像をなるべく飛ばし、鑑賞を所望する位置から映像を確実に鑑賞することができる再生装置を提供することを目的とする。
【課題を解決するための手段】
【０００６】
上記目的を達成するために本発明の再生装置は、
記録媒体に記録された情報に基づき表示手段に１画面で映像を通常再生表示させる再生装置において、
１画面での通常再生表示中に操作手段において所定の操作がされると、該所定の操作がされた時点で前記表示手段に表示されている映像より所定時間先の映像から前記記録媒体に記録された情報に基づき前記表示手段において第１の画面で通常再生表示させ、前記所定の操作がされた時点で前記表示手段に表示されている映像より前記所定時間の略２倍の時間先の映像から前記記録媒体に記録された情報に基づき前記表示手段において第２の画面に通常再生表示させ、
前記第１の画面および前記第２の画面による通常再生表示中に前記操作手段において前記所定の操作がされると、該所定の操作がされた時点で前記第１の画面に表示されている映像より前記所定時間先の映像から前記記録媒体に記録された情報に基づき前記第１の画面に通常再生表示させ、前記所定の操作がされた時点で前記第１の画面に表示されている映像より前記所定時間の略２倍の時間先の映像から前記記録媒体に記録された情報に基づき前記第２の画面に通常再生表示させ、以降、前記操作手段において前記所定の操作がされるたびに同様の動作を行うような再生手段を備える、
ことを特徴としている。
【０００７】
このような構成によれば、ユーザは、第２の画面を見ることで次に所定の操作をした場合に第１の画面に表示される映像を予想できるので、例えば、第２の画面にＣＭが表示されている間は所定の操作を繰り返しＣＭをなるべく飛ばし、第２の画面に放送番組本編が表示された場合に所定の操作をやめることで、第１の画面に表示される映像によってＣＭが終了するタイミングである番組本編の最初から確実に鑑賞することができる。
【０００８】
本発明の再生装置はより具体的には、記録媒体に記録された情報に基づき表示手段に１画面で映像を通常再生表示させる再生装置において、
読み出し手段と、第１の記憶手段と、第２の記憶手段と、第１の伸長手段と、第２の伸長手段と、表示用画像信号生成手段と、を備え、
１画面での通常再生表示中に操作手段において所定の操作がされると、前記読み出し手段は、前記所定の操作がされた時点で前記表示手段に表示されている映像の表示位置より所定時間先の表示位置に対応する第１のアドレスを起点とする所定量ずつの前記記録媒体に記録された圧縮情報の読み出しと、前記所定の操作がされた時点で前記表示手段に表示されている映像の表示位置より前記所定時間の２倍の時間先の表示位置に対応する第２のアドレスを起点とする所定量ずつの前記記録媒体に記録された圧縮情報の読み出しと、を交互に行い、前記第１のアドレスを起点として読み出された圧縮情報は前記第１の記憶手段に記憶されてから前記第１の伸長手段に転送され、前記第２のアドレスを起点として読み出された圧縮情報は前記第２の記憶手段に記憶されてから前記第２の伸長手段に転送され、前記第１の伸長手段は転送された圧縮情報を伸長し第１の映像信号を前記表示用画像信号生成手段に送出し、前記第２の伸長手段は転送された圧縮情報を伸長し第２の映像信号を前記表示用画像信号生成手段に送出し、前記表示用画像信号生成手段は前記第１の映像信号および前記第２の映像信号にピクチャー・イン・ピクチャー処理を行い表示用画像信号を出力し、前記表示手段において前記第１の映像信号に基づく映像が親画面で、前記第２の映像信号に基づく映像が子画面で通常再生表示され、
前記親画面および前記子画面による通常再生表示中に前記操作手段において前記所定の操作がされると、前記読み出し手段は、前記所定の操作がされた時点で前記親画面に表示されている映像の表示位置より前記所定時間先の表示位置に対応する第３のアドレスを起点とする所定量ずつの前記記録媒体に記録された圧縮情報の読み出しと、前記所定の操作がされた時点で前記親画面に表示されている映像の表示位置より前記所定時間の２倍の時間先の表示位置に対応する第４のアドレスを起点とする所定量ずつの前記記録媒体に記録された圧縮情報の読み出しと、を交互に行い、前記第３のアドレスを起点として読み出された圧縮情報は前記第１の記憶手段に記憶されてから前記第１の伸長手段に転送され、前記第４のアドレスを起点として読み出された圧縮情報は前記第２の記憶手段に記憶されてから前記第２の伸長手段に転送され、前記第１の伸長手段は転送された圧縮情報を伸長し第３の映像信号を前記表示用画像信号生成手段に送出し、前記第２の伸長手段は転送された圧縮情報を伸長し第４の映像信号を前記表示用画像信号生成手段に送出し、前記表示用画像信号生成手段は前記第３の映像信号および前記第４の映像信号にピクチャー・イン・ピクチャー処理を行い表示用画像信号を出力し、前記表示手段において前記第３の映像信号に基づく映像が前記親画面で、前記第４の映像信号に基づく映像が前記子画面で通常再生表示され、以降、前記操作手段において前記所定の操作がされるたびに同様の動作が行われる、
ような構成とすればよい。
【発明の効果】
【０００９】
本発明の再生装置によれば、ユーザは、鑑賞を所望しない映像をなるべく飛ばし、鑑賞を所望する位置から映像を確実に鑑賞することができる。
【発明を実施するための最良の形態】
【００１０】
以下、本発明の実施形態例について図面を参照し説明する。
【００１１】
図１は、本発明に係るＤＶＤレコーダの構成を示すブロック図である。なお、本発明はその他にもＤＶＤプレーヤやハードディスクレコーダ等の再生装置全般に適用できる。
【００１２】
まず、本発明に係るＤＶＤレコーダの録画機能について説明する。アンテナ１は、放送電波信号を高周波の放送信号に変換する。チューナ２は、アンテナ１から入力される放送信号から所定の周波数の放送信号を選局し、コンポジット信号およびアナログ音声信号を取り出す。オーディオＡ／Ｄコンバータ３は、チューナ２が取り出したアナログ音声信号をデジタル音声信号に変換し、オーディオインターフェイス５を介してデジタル音声信号をＭＰＥＧエンコーダ６に送出する。ビデオデコーダ４は、チューナ２が取り出したコンポジット信号をデジタル映像信号に変換し、グラフィックエンジン９を介してＭＰＥＧエンコーダ６に送出する。ＭＰＥＧエンコーダ６は、オーディオインターフェイス５から入力されるデジタル音声信号およびグラフィックエンジン９から入力されるデジタル映像信号をＭＰＥＧ２に準拠して圧縮符号化する。
【００１３】
ここで、不図示のリモコンにおいて録画操作がされ、リモコン受信部１５がリモコンから赤外線信号を受信しＣＰＵ１４にコード信号を送出すると、ＣＰＵ１４はストリームプロセッサ１３に指示し、ＣＰＵ１４からの指示によりストリームプロセッサ１３はＭＰＥＧエンコーダ６から入力される圧縮符号化されたデジタル音声信号およびデジタル映像信号をＤＶＤドライブ１６に送出し、ＤＶＤドライブ１６に記録指示をする。そして、ＤＶＤドライブ１６は、ストリームプロセッサ１３から入力される圧縮符号化されたデジタル音声信号およびデジタル映像信号を装填されているＤＶＤに記録させる。これにより、放送番組がＤＶＤに録画される。また、ストリームプロセッサ１３は録画中に管理ファイルを不図示のメモリ上に作成し、録画が完了した時点で管理ファイルをＤＶＤドライブ１６に送出し、ＤＶＤドライブ１６は管理ファイルをＤＶＤに記録させる。
【００１４】
次に、本発明に係るＤＶＤレコーダの特徴となるスキップ動作について説明する。
【００１５】
まず、不図示のリモコンにおいてタイトル再生操作がされると、ＣＰＵ１４はリモコン受信部１５から対応するコード信号を受信し、予めＤＶＤから読み込まれ不図示のメモリに記憶された管理ファイルから、選択されたタイトルに対応するアドレスを判断し、アドレス情報をストリームプロセッサ１３に送出する。そして、ストリームプロセッサ１３は、ＤＶＤドライブ１６にアドレス情報を送出し、読み出し指示をする。そして、ＤＶＤドライブ１６は、ＤＶＤ上の上記アドレス情報が表すアドレスから圧縮符号化されたデジタル音声信号およびデジタル映像信号（以下、タイトル）の読み出しを開始し、読み出したタイトルをストリームプロセッサ１３に送出し、ストリームプロセッサ１３は、タイトルを不図示のメモリに記憶させてゆく。メモリに記憶されたタイトルは、ストリームプロセッサ１３によりＭＰＥＧデコーダ１２に転送され、ＭＰＥＧデコーダ１２は、タイトルを伸長復号化し、デジタル映像信号をグラフィックエンジン９を介してビデオエンコーダ７に送出し、デジタル音声信号をオーディオインターフェイス１０を介してオーディオＤ／Ａコンバータ８に送出する。ビデオエンコーダ７は、デジタル映像信号をコンポジット信号に変換し、不図示のＤＶＤレコーダに接続されたテレビ等の表示装置に送出する。また、オーディオＤ／Ａコンバータ８は、デジタル音声信号をアナログ音声信号に変換し表示装置に送出する。これにより、表示装置において映像が１画面で通常再生表示される。
【００１６】
このようなタイトル再生中に不図示のリモコンにおいてスキップボタンが押されると、図２に示すフローチャートの動作に移る。ＣＰＵ１４はリモコン受信部１５から対応するコード信号を受信し、ストリームプロセッサ１３に現在表示されている映像の表示位置を表すプレゼンテーションタイムスタンプ（以下、ＰＴＳ）を要求する。そして、ストリームプロセッサ１３は、ＭＰＥＧデコーダ１２からＰＴＳを取得しＣＰＵ１４に送出する。そして、ＣＰＵ１４は、取得したＰＴＳから所定時間先のＰＴＳ（以下、第一のＰＴＳ）および取得したＰＴＳから上記所定時間の２倍の時間先のＰＴＳ（以下、第二のＰＴＳ）を算出する（ステップＳ２０）。
【００１７】
そして、ＣＰＵ１４は、算出された各ＰＴＳと上記不図示のメモリに記憶された管理ファイルとから、算出された各ＰＴＳに対応するＤＶＤ上の各アドレスを算出し、算出された各アドレス情報をストリームプロセッサ１３に送出する（ステップＳ２１）。なお、上記所定時間は固定値で設定されていてもよいし、ユーザによって設定されてもよい。
【００１８】
そして、ストリームプロセッサ１３は、ＤＶＤドライブ１６に第一のＰＴＳに対応するアドレス情報を送出し読み出し指示を行い、ＤＶＤドライブ１６は、ＤＶＤ上の第一のＰＴＳに対応するアドレス情報が表すアドレスからタイトルを所定量読み出しストリームプロセッサ１３に送出し、ストリームプロセッサ１３は読み出されたタイトルを不図示のメモリの第一領域に記憶させる（ステップＳ２２）。メモリの第一領域に記憶されたタイトルはストリームプロセッサ１３によってＭＰＥＧデコーダ１２に転送されてゆく。
【００１９】
ＤＶＤドライブ１６が所定量タイトルを読み出すと、ストリームプロセッサ１３は、読み出しが完了した時点のアドレス情報を第一の次回読み出し開始アドレス情報として不図示のメモリに記憶させる（ステップＳ２３）。そして、ストリームプロセッサ１３は、ＤＶＤドライブ１６に第二のＰＴＳに対応するアドレス情報を送出し読み出し指示を行い、ＤＶＤドライブ１６は、上記不図示のメモリの第一領域に記憶されたタイトルがＭＰＥＧデコーダ１２に転送されてゆく間に、ＤＶＤ上の第二のＰＴＳに対応するアドレス情報が表すアドレスからタイトルを所定量読み出しストリームプロセッサ１３に送出し、ストリームプロセッサ１３は読み出されたタイトルを不図示のメモリの第二領域に記憶させる（ステップＳ２４）。メモリの第二領域に記憶されたタイトルはストリームプロセッサ１３によってＭＰＥＧデコーダ１１に転送されてゆく。
【００２０】
ＤＶＤドライブ１６が所定量タイトルを読み出すと、ストリームプロセッサ１３は、読み出しが完了した時点のアドレス情報を第二の次回読み出し開始アドレス情報として不図示のメモリに記憶させる（ステップＳ２５）。そして、ストリームプロセッサ１３は、ＤＶＤドライブ１６に上記第一の次回読み出し開始アドレス情報を送出し読み出し指示を行い、ＤＶＤドライブ１６は、上記不図示のメモリの第二領域に記憶されたタイトルがＭＰＥＧデコーダ１１に転送されてゆく間に、ＤＶＤ上の第一の次回読み出し開始アドレス情報が表すアドレスからタイトルを所定量読み出しストリームプロセッサ１３に送出し、ストリームプロセッサ１３は、読み出されたタイトルを不図示のメモリの第一領域に記憶させる（ステップＳ２６）。
【００２１】
ＤＶＤドライブ１６が所定量タイトルを読み出すと、ストリームプロセッサ１３は、読み出しが完了した時点のアドレス情報を新たな第一の次回読み出し開始アドレス情報として不図示のメモリに記憶させる（ステップＳ２７）。そして、ストリームプロセッサ１３は、ＤＶＤドライブ１６に上記第二の次回読み出し開始アドレス情報を送出し読み出し指示を行い、ＤＶＤドライブ１６は、上記不図示のメモリの第一領域に記憶されたタイトルがＭＰＥＧデコーダ１２に転送されてゆく間に、ＤＶＤ上の第二の次回読み出し開始アドレス情報が表すアドレスからタイトルを所定量読み出しストリームプロセッサ１３に送出し、ストリームプロセッサ１３は読み出されたタイトルを不図示のメモリの第二領域に記憶させる（ステップＳ２８）。
【００２２】
ＤＶＤドライブ１６が所定量タイトルを読み出すと、ストリームプロセッサ１３は、読み出しが完了した時点のアドレス情報を新たな第二の次回読み出し開始アドレス情報として不図示のメモリに記憶させる（ステップＳ２９）。そして、ストリームプロセッサ１３は、ＤＶＤドライブ１６に上記新たな第一の次回読み出し開始アドレス情報を送出し読み出し指示を行い、以降ステップＳ２６〜Ｓ２９の動作が繰り返される。
【００２３】
ＭＰＥＧデコーダ１２は、不図示のメモリの第一領域から転送されたタイトルを伸長復号化し、第一のデジタル映像信号をグラフィックエンジン９に送出する。また、ＭＰＥＧデコーダ１１は、不図示のメモリの第二領域から転送されたタイトルを伸長復号化し、第二のデジタル映像信号をグラフィックエンジン９に送出する。グラフィックエンジン９は、ピクチャー・イン・ピクチャー機能を有しており、上記第一の映像信号に基づき親画面用画像信号を生成し、上記第二の映像信号に基づき子画面用画像信号を生成し、親画面用画像信号および子画面用画像信号を合成した表示用画像信号をビデオエンコーダ７に送出する。ただし、第一の映像信号のほうが第二の映像信号よりも先にグラフィックエンジン９に入力されるので、第二の映像信号が入力されるまではグラフィックエンジン９は第一の映像信号に基づく親画面用画像信号のみ生成し、これを表示用画像信号としてビデオエンコーダ７に送出する。
【００２４】
ビデオエンコーダ７は、グラフィックエンジン９から入力される表示用画像信号をコンポジット信号に変換し、表示装置に送出する。
【００２５】
すると、図３のように表示装置において、タイトル再生中にリモコンにおいてスキップボタンが押された時点で表示されている映像より上記所定時間先の映像から親画面１７に通常再生表示され、タイトル再生中にリモコンにおいてスキップボタンが押された時点で表示されている映像より上記所定時間の２倍の時間先の映像から子画面１８に通常再生表示される。ここで、前述したように第二の映像信号がグラフィックエンジン９に入力されるまでは第一の映像信号に基づく親画面用画像信号のみ生成されるので、表示装置には最初親画面１７にのみ映像が表示され（子画面１８は黒画面）、途中から両画面に映像が表示される。
【００２６】
なお、第二の映像信号がグラフィックエンジン９に入力されるまではグラフィックエンジン９は入力された第一の映像信号を無視し、第二の映像信号が入力されてからピクチャー・イン・ピクチャー処理するようにし、表示装置には最初から２画面に映像が表示されるようにしてもよい。この場合は、タイトル再生中にリモコンにおいてスキップボタンが押された時点で表示されている映像より所定時間先（上記設定された所定時間よりは微少に長い）の映像から親画面１７に通常再生表示され、タイトル再生中にリモコンにおいてスキップボタンが押された時点で表示されている映像より上記所定時間のほぼ２倍の時間先の映像から子画面１８に通常再生表示されることになる。
【００２７】
このような２画面での再生中に再びリモコンにおいてスキップボタンが押されると、図４に示すフローチャートの動作に移る。ＣＰＵ１４はリモコン受信部１５から対応するコード信号を受信し、ストリームプロセッサ１３に現在親画面に表示されている映像の表示位置を表すＰＴＳを要求する。そして、ストリームプロセッサ１３は、ＭＰＥＧデコーダ１２からＰＴＳを取得しＣＰＵ１４に送出する。そして、ＣＰＵ１４は、取得したＰＴＳから上記所定時間先のＰＴＳ（以下、第三のＰＴＳ）および取得したＰＴＳから上記所定時間の２倍の時間先のＰＴＳ（以下、第四のＰＴＳ）を算出する（ステップＳ４０）。なお、ここでストリームプロセッサ１３は、不図示のメモリの第一領域および第二領域上のデータを消去しておく。
【００２８】
そして、ＣＰＵ１４は、算出された各ＰＴＳと上記不図示のメモリに記憶された管理ファイルとから、算出された各ＰＴＳに対応するＤＶＤ上の各アドレスを算出し、算出された各アドレス情報をストリームプロセッサに送出する（ステップＳ４１）。
【００２９】
以降は、前述した図２に示すフローチャートのステップＳ２２〜Ｓ２９において、第一のＰＴＳを第三のＰＴＳに、第二のＰＴＳを第四のＰＴＳに置き換えた動作となる（ステップＳ４２〜Ｓ４９）。
【００３０】
ＭＰＥＧデコーダ１２は、不図示のメモリの第一領域から転送されたタイトルを伸長復号化し、第三のデジタル映像信号をグラフィックエンジン９に送出する。また、ＭＰＥＧデコーダ１１は、不図示のメモリの第二領域から転送されたタイトルを伸長復号化し、第四のデジタル映像信号をグラフィックエンジン９に送出する。グラフィックエンジン９は、ピクチャー・イン・ピクチャー機能を有しており、上記第三の映像信号に基づき親画面用画像信号を生成し、上記第四の映像信号に基づき子画面用画像信号を生成し、親画面用画像信号および子画面用画像信号を合成した表示用画像信号をビデオエンコーダ７に送出する。ただし、第三の映像信号のほうが第四の映像信号よりも先にグラフィックエンジン９に入力されるので、第四の映像信号が入力されるまではグラフィックエンジン９は第三の映像信号に基づく親画面用画像信号のみ生成し、これを表示用画像信号としてビデオエンコーダ７に送出する。
【００３１】
ビデオエンコーダ７は、グラフィックエンジン９から入力される表示用画像信号をコンポジット信号に変換し、表示装置に送出する。これにより、表示装置において、上記リモコンにおいてスキップボタンが押された時点で親画面１７に表示されている映像より上記所定時間先の映像から親画面１７に通常再生表示され、上記リモコンにおいてスキップボタンが押された時点で親画面１７に表示されている映像より上記所定時間の２倍の時間先の映像から子画面１８に通常再生表示される。ここで、前述したように第四の映像信号がグラフィックエンジン９に入力されるまでは第三の映像信号に基づく親画面用画像信号のみ生成されるので、表示装置には最初親画面１７にのみ映像が表示され（子画面１８は黒画面）、途中から両画面に映像が表示される。
【００３２】
なお、第四の映像信号がグラフィックエンジン９に入力されるまではグラフィックエンジン９は入力された三の映像信号を無視し、第四の映像信号が入力されてからピクチャー・イン・ピクチャー処理するようにし、表示装置には最初から２画面に映像が表示されるようにしてもよい。この場合は、リモコンにおいてスキップボタンが押された時点で親画面１７に表示されている映像より所定時間先（上記設定された所定時間よりは微少に長い）の映像から親画面１７に通常再生表示され、リモコンにおいてスキップボタンが押された時点で親画面１７に表示されている映像より上記所定時間のほぼ２倍の時間先の映像から子画面１８に通常再生表示されることになる。
【００３３】
以降、不図示のリモコンにおいてスキップボタンが押されるたびに図４のフローチャートの動作が行われ、同様の再生表示がされる。
【００３４】
そして、以上のような２画面での再生中に不図示のリモコンにおいてスキップ解除ボタンが押されると、ＣＰＵ１４はリモコン受信部１５から対応するコード信号を受信し、ストリームプロセッサ１３に現在親画面に表示されている映像の表示位置を表すＰＴＳを要求する。そして、ストリームプロセッサ１３は、ＭＰＥＧデコーダ１２からＰＴＳを取得しＣＰＵ１４に送出する。ＣＰＵ１４は、取得したＰＴＳと上記管理ファイルとから、取得したＰＴＳに対応するＤＶＤ上のアドレスを算出し、算出されたアドレス情報をストリームプロセッサ１３に送出する。そして、ストリームプロセッサ１３は、アドレス情報をＤＶＤドライブ１６に送出し読み出し指示を行う。そして、ＤＶＤドライブ１６は、ＤＶＤ上の上記アドレス情報が表すアドレスからタイトルの読み出しを開始し、読み出したタイトルをストリームプロセッサ１３に送出し、ストリームプロセッサ１３は、タイトルを不図示のメモリに記憶させてゆく。メモリに記憶されたタイトルは、ストリームプロセッサ１３によりＭＰＥＧデコーダ１２に転送され、ＭＰＥＧデコーダ１２は、タイトルを伸長復号化し、デジタル映像信号をグラフィックエンジン９を介してビデオエンコーダ７に送出する。ビデオエンコーダ７は、デジタル映像信号をコンポジット信号に変換し、表示装置に送出する。これにより、表示装置において２画面表示が解除され、スキップ解除ボタンが押された時点に親画面に表示されていた映像から１画面で通常再生表示される。
【００３５】
以上説明した本発明に係るＤＶＤレコーダにより、ユーザは次のようなことを行える（図５を参照）。
【００３６】
タイトルを１画面で通常再生中に番組本編が一旦終了しＣＭに入ると、ユーザがリモコンのスキップボタンを押す。すると、その時点で表示されていた映像より所定時間先の映像から親画面に、その時点で表示されていた映像より所定時間の２倍の時間先の映像から子画面にそれぞれ通常再生表示される（図５中の「親画面Ａ、子画面Ａ」）。
【００３７】
このような２画面での再生中にユーザが子画面を見てＣＭであれば、今スキップボタンを押しても親画面には現在の子画面のＣＭの続きが表示されることが予想できるので、ユーザはスキップボタンを押す。すると、その時点で親画面に表示されていた映像より所定時間先の映像から親画面に、その時点で親画面に表示されていた映像より所定時間の２倍の時間先の映像から子画面にそれぞれ通常再生表示される（図５中の「親画面Ｂ、子画面Ｂ」）。
【００３８】
このような２画面での再生中にユーザが子画面を見ていまだＣＭが表示されていれば、ユーザはスキップボタンを再度押す。すると、その時点で親画面に表示されていた映像より所定時間先の映像から親画面に、その時点で親画面に表示されていた映像より所定時間の２倍の時間先の映像から子画面にそれぞれ通常再生表示される（図５中の「親画面Ｃ、子画面Ｃ」）。
【００３９】
このような２画面での再生中にユーザが子画面を見て番組本編の後半部が表示されていれば、スキップボタンを押すのをやめ、そのうちにＣＭが終了し親画面には番組本編後半部の最初から表示される。または、ユーザがスキップ解除ボタンを押すと、２画面表示が解除され、その時点で親画面に表示されていた映像から１画面で通常再生表示され、そのうちＣＭが終了し番組本編後半部の最初から１画面で表示される（図５中の「１画面再生」）。このように本発明によればユーザは、ＣＭをなるべく飛ばしながら番組本編の最初から確実に鑑賞することができる。
【図面の簡単な説明】
【００４０】
【図１】は、本発明に係るＤＶＤレコーダのブロック図である。
【図２】は、１画面通常再生中にスキップボタンが押された場合の動作手順を示すフローチャートである。
【図３】は、２画面通常再生表示中の画面例を示す図である。
【図４】は、２画面通常再生中にスキップボタンが押された場合の動作手順を示すフローチャートである。
【図５】は、本発明の実施形態に係る動作を説明する図である。
【符号の説明】
【００４１】
１    アンテナ
２    チューナ
３    オーディオＡ／Ｄコンバータ
４    ビデオデコーダ
５    オーディオインターフェイス
６    ＭＰＥＧエンコーダ
７    ビデオエンコーダ
８    オーディオＤ／Ａコンバータ
９    グラフィックエンジン
１０    オーディオインターフェイス
１１    ＭＰＥＧデコーダ
１２    ＭＰＥＧデコーダ
１３    ストリームプロセッサ
１４    ＣＰＵ
１５    リモコン受信部
１６    ＤＶＤドライブ
１７    親画面
１８    子画面
【図１】
2007235666.tif 000003
【図２】
2007235666.tif 000004
【図３】
2007235666.tif 000005
【図４】
2007235666.tif 000006
【図５】
2007235666.tif 000007